(57)【要約】【課題】異常解除作業をスムースに行えるようにして利便性の向上を図るとともに、操作部位のシンプル化により全体の操作性向上を図る。【解決手段】射出成形機Ｍに比較的重い異常が発生した際に、異常を除去した後、異常解除ボタンＫｒの操作により異常発生前の状態に復帰させる射出成形機の異常解除装置１を構成するに際して、異常の発生時に、少なくとも異常内容を表示した異常表示欄Ｃｅ及びこの異常表示欄Ｃｅに隣接しかつタッチパネル３を用いた異常解除ボタンＫｒを有する異常表示ウィンドウＷｅを、ディスプレイ２に表示するウィンドウ表示機能を設ける。【選択図】図１
2004155085.tif 000002
【特許請求の範囲】
【請求項１】
射出成形機に比較的重い異常が発生した際に、前記異常を除去した後、異常解除ボタンの操作により異常発生前の状態に復帰させる射出成形機の異常解除装置において、前記異常の発生時に、少なくとも異常内容を表示した異常表示欄及びこの異常表示欄に隣接しかつタッチパネルを用いた異常解除ボタンを有する異常表示ウィンドウを、ディスプレイに表示するウィンドウ表示機能を備えることを特徴とする射出成形機の異常解除装置。
【請求項２】
前記異常表示ウィンドウは、他のウィンドウに対して最優先表示することを特徴とする請求項１記載の射出成形機の異常解除装置。
【請求項３】
前記異常表示ウィンドウは、発生した全ての前記異常を順番に表示することを特徴とする請求項１記載の射出成形機の異常解除装置。
【請求項４】
前記異常（重異常）以外の異常（軽異常）の内容を、前記ディスプレイにおける所定の表示部に表示する軽異常表示機能を備えることを特徴とする請求項１記載の射出成形機の異常解除装置。
【発明の詳細な説明】
【０００１】
【発明の属する技術分野】
本発明は、射出成形機に比較的重い異常が発生した際に用いて好適な射出成形機の異常解除装置に関する。
【０００２】
【従来の技術】
従来、射出成形機に比較的重い異常が発生した場合、発生した異常を除去した後、異常解除ボタンを操作することにより異常発生前の状態に復帰させていた（特開昭６２−１６３１１５号公報等参照）。
【０００３】
例えば、成形工程が行われている途中で安全ドアが開いた場合、ディスプレイにおける所定の表示部に、異常コードを含む異常内容を表示するとともに、成形工程の動作を停止させる異常発生に係わる所定の処理が行われる。一方、オペレータは、表示された異常内容を確認し、安全ドアを閉じることにより異常を除去するとともに、この後、異常解除装置を構成する側面パネルに別途設けられた異常解除ボタンを押すことにより異常発生前の状態に復帰、即ち、成形工程を再開させていた。
【特許文献１】
特開昭６２−１６３１１５号公報
【０００４】
【発明が解決しようとする課題】
しかし、上述した従来の異常解除装置は、次のような解決すべき課題が存在した。
【０００５】
第一に、異常解除ボタンは、異常内容を表示するディスプレイの表示部位に対して、離れた位置に配設されるため、両者間に一体性が無く、本来、異常内容を確認しながら異常解除ボタンを操作するという一連の異常解除作業をスムースに行えないなど、利便性に劣る。
【０００６】
第二に、異常解除ボタンは、電源スイッチ等の他のスイッチ類と一緒に側面パネル上に配設されるため、側面パネル上の煩雑化を招くとともに、誤操作の虞れもあるなど、全体の操作性に劣る。
【０００７】
本発明は、このような従来の技術に存在する課題を解決したものであり、異常解除作業をスムースに行えるようにして利便性の向上を図るとともに、操作部位のシンプル化により全体の操作性向上を図ることができる射出成形機の異常解除装置の提供を目的とする。
【０００８】
【課題を解決するための手段及び実施の形態】
本発明は、射出成形機Ｍに比較的重い異常（重異常）が発生した際に、異常を除去した後、異常解除ボタンＫｒの操作により異常発生前の状態に復帰させる異常解除装置１を構成するに際して、異常の発生時に、少なくとも異常内容を表示した異常表示欄Ｃｅ及びこの異常表示欄Ｃｅに隣接しかつタッチパネル３を用いた異常解除ボタンＫｒを有する異常表示ウィンドウＷｅを、ディスプレイ２に表示するウィンドウ表示機能を設けたことを特徴とする。
【０００９】
この場合、好適な実施の形態により、異常表示ウィンドウＷｅは、他のウィンドウに対して最優先表示するとともに、発生した全ての異常（５ａ…）を順番に表示することができる。一方、異常解除装置１には、重異常以外の異常（軽異常）の内容を、ディスプレイ２における所定の表示部６に表示する軽異常表示機能を設けることができる。
【００１０】
【実施例】
次に、本発明に係る好適な実施例を挙げ、図面に基づき詳細に説明する。
【００１１】
まず、本実施例に係る異常解除装置１を備える射出成形機Ｍの構成について、図２及び図３を参照して説明する。
【００１２】
図２中、仮想線で示すＭは射出成形機であり、機台Ｍｂと、この機台Ｍｂ上に設置された射出装置Ｍｉ及び型締装置Ｍｃを備える。射出装置Ｍｉは、加熱筒１０を備え、この加熱筒１０の前端に図に現れない射出ノズルを有するとともに、加熱筒１０の後部には材料を供給するホッパ１１を備える。一方、型締装置Ｍｃには可動型と固定型からなる金型１２を備える。また、機台Ｍｂ上には側面パネル１３を起設し、この側面パネル１３にディスプレイユニット１５を配設する。このディスプレイユニット１５は、タッチパネル３を付設したカラー液晶ディスプレイ等のディスプレイ２を備え、このディスプレイユニット１５は、機台Ｍｂに内蔵したコントローラ２０（図３）に接続する。
【００１３】
図３は、コントローラ２０のブロック系統図を示す。２１はＣＰＵであり、このＣＰＵ２１には内部バス２２を介してチップセット２３を接続する。また、チップセット２３には、ＰＣＩバス等のローカルバスを用いたバスライン２４を接続してＨＭＩ（ヒューマン・マシン・インタフェース）制御系を構成する。このため、バスライン２４には、ＲＡＭ，ＲＯＭ等の各種メモリ類を総括する内部メモリ２５を接続する。さらに、バスライン２４には、表示インタフェース２６を介して上述したディスプレイユニット１５を接続するとともに、入出力インターフェイス２７を介してメモリカード等の記憶メディア２８に対する読出及び書込を行うドライブユニット２９を接続する。
【００１４】
一方、チップセット２３には、バスライン２４と同様のバスライン３０を接続してＰＬＣ（プログラマブル・ロジック・コントローラ）制御系を構成する。このため、バスライン３０には、スイッチ等の切換データＤｉをＣＰＵ２１に付与し、かつＣＰＵ２１から得る制御指令データＤｏを対応するアクチュエータに付与する入出力インターフェイス３１を接続するとともに、各種センサの検出信号Ｓｉを、アナログ−ディジタル変換してＣＰＵ２１に付与し、かつＣＰＵ２１から得る制御指令データをディジタル−アナログ変換して得た制御信号Ｓｏを対応するアクチュエータに付与する入出力インターフェイス３２を接続する。これにより、所定のフィードバック制御系及びオープンループ制御系が構成される。
【００１５】
したがって、前述した内部メモリ２５には、ＰＬＣプログラムとＨＭＩプログラムを格納するとともに、各種処理プログラムを格納する。なお、ＰＬＣプログラムは、射出成形機Ｍにおける各種工程のシーケンス動作や射出成形機Ｍの監視等を実現するためのソフトウェアであり、ＨＭＩプログラムは、射出成形機Ｍの動作パラメータの設定及び表示，射出成形機Ｍの動作監視データの表示等を実現するためのソフトウェアである。これらのソフトウェアは、コントローラ２０を搭載する射出成形機Ｍの固有アーキテクチャとして構築され、特に、本実施例に係る異常解除装置１を実現、即ち、比較的重い異常（重異常）が発生した際に、異常内容を表示した異常表示欄Ｃｅ及びこの異常表示欄Ｃｅに隣接しかつタッチパネル３を用いた異常解除ボタンＫｒを有する異常表示ウィンドウＷｅ（図１）を、ディスプレイ２に表示するウィンドウ表示機能、さらには重異常以外の異常（軽異常）の内容を、ディスプレイ２における所定の表示部６（図１）に表示する軽異常表示機能を実現することができる。なお、３３は電源、３４は電源スイッチを示す。
【００１６】
次に、本実施例に係る異常解除装置１の機能を含む異常発生時の処理方法について、図１〜図３を参照しつつ図４に示すフローチャートに従って説明する。
【００１７】
今、射出成形機Ｍは稼働状態にあり、自動モードにより所定の成形工程が行われているものとする。そして、この成形途中において、異常が発生した場合を想定する（ステップＳ１）。
【００１８】
この場合、発生した異常が軽異常の場合には、コントローラ２０に備える軽異常表示機能により、ディスプレイ２の画面上部に設けた表示部６（図１）に、軽異常の内容である異常コードを含む異常メッセージを表示する（ステップＳ２，Ｓ３）。軽異常に関しては、異常メッセージに従って軽異常を除去すれば足り、基本的に、成形工程の動作に影響を与えない。
【００１９】
他方、発生した異常が重異常の場合には、コントローラ２０に備えるウィンドウ表示機能により、ディスプレイ２上に、図１に示すような異常表示ウィンドウＷｅを表示する（ステップＳ２，Ｓ４）。なお、ディスプレイ２には、図１に示すように工程監視画面Ｖａが表示されている。この工程監視画面Ｖａの概要について説明する。工程監視画面Ｖａの上段と下段には、各種画面Ｖａ…を切換える画面項目毎に設けた複数の画面切換キーＫ１，Ｋ２，Ｋ３…を表示する。この画面切換キーＫ１…は、使用頻度の高さを考慮してランク分けされ、上段に、型開閉画面切換キーＫ１，エジェクタ画面切換キーＫ２，射出・計量画面切換キーＫ３，温度画面切換キーＫ４，モニタ画面切換キーＫ５，主要条件画面切換キーＫ６，条件切換画面切換キーＫ７を有する成形機の動作条件の設定に係わる第一のグループＧａを横一列に配するとともに、下段に、これ以外となる段取り画面切換キーＫ８，工程監視画面切換キーＫ９，生産情報画面切換キーＫ１０，波形画面切換キーＫ１１，統計画面切換キーＫ１２，トレンド画面切換キーＫ１３を有する第二のグループＧｂを横一列に配する。
【００２０】
各画面切換キーＫ１…は、工程監視画面Ｖａを他の画面に切換えた場合でも同様に表示、即ち、同じ位置に同じ形状で表示される。なお、図１に表示される第二のグループＧｂは、第一階層が表示された状態であるが、画面右端の階層画面切換キーＫｃをタッチすることにより、第二階層における履歴画面切換キー，プログラム画面切換キー，信号レコーダ画面切換キー，診断画面切換キー等が、画面切換キーＫ８〜Ｋ１３と入れ替わる形で同様に表示される。また、コントローラ２０は、画面切換キーＫ１…の配列をユーザサイドで任意に変更できる配列変更機能及び変更後の配列を記憶する配列記憶機能を備えている。これにより、ユーザ自身が使い勝手を考慮して画面切換キーＫ１…の配列（順番）を任意に変更することができる。このようなレイアウト表示により、各画面切換キーＫ１…に表示される名称表示を変更する場合でも、ソフトウェアにより容易に対処でき、変更に伴う工数の削減及びコストダウンを図れるとともに、各画面切換キーＫ１…に対する視認性及び操作性を高めることができる。
【００２１】
そして、この工程監視画面Ｖａのほぼ中央に、異常表示ウィンドウＷｅを表示（ウィンドウ表示）する。この異常表示ウィンドウＷｅは、上端にタイトルバー７を有するため、ユーザはこのタイトルバー７をタッチして自分の好む見易い表示位置或いは注意を引く表示位置に任意に変更することができ、変更後の表示位置は記憶される。したがって、以後、異常表示ウィンドウＷｅは、記憶された表示位置に表示される。また、異常表示ウィンドウＷｅは、他のウィンドウに対して最優先表示する。したがって、工程監視画面Ｖａ上に他のウィンドウが表示されている状態であっても異常表示ウィンドウＷｅは最前面に表示される。
【００２２】
この異常表示ウィンドウＷｅは、異常内容を表示した異常表示欄Ｃｅ及びこの異常表示欄Ｃｅに隣接しかつタッチパネル３を用いた異常解除ボタンＫｒの双方を有する。異常解除ボタンＫｒは、例えば、黄色等の注意を引く配色を施し、異常表示ウィンドウＷｅの右上に表示する。一方、異常表示欄Ｃｅには、一つの異常を表示する短冊状の異常表示部５ａ…を一又は二以上表示する。一つの異常表示部５ａには、異常コード５ａｃ（例えば、「３９００ｄ」）と異常メッセージ５ａｍ（例えば、「射出最前進位置オーバが発生しました。」）を表示する。このような表示形式は、他の異常表示部５ｂ，５ｃ…においても同じである。
【００２３】
また、異常表示ウィンドウＷｅは、発生した全ての異常（５ａ…）を順番に表示する。図１は、発生した三つの異常、即ち、三つの異常表示部５ａ，５ｂ，５ｃを上から順番に表示した例を示している。なお、異常表示部５ａ…は、通常、一つの場合が多いが、表示される数は限定されない。したがって、四つ以上の異常表示部５ａ…が表示される場合もある。よって、このような異常表示ウィンドウＷｅにより、異常内容を表示した異常表示欄Ｃｅの横に隣接して異常解除ボタンＫｒが配されることになり、両者間の一体性が確保される。
【００２４】
一方、オペレータは異常表示ウィンドウＷｅを確認し、異常を除去する処理作業を行う（ステップＳ５）。例えば、実施例の場合、異常表示部５ａに表示される異常内容は、射出最前進位置オーバであるため、異常を除去する処理としては、射出成形機Ｍの動作モードを手動モードに切換えるとともに、不良品が成形されている可能性が高いため、成形品を除去する処理を行う。この場合、一旦、手動モードに切換えることにより、異常発生信号に対するリセットが行われる。よって、この後に異常解除ボタンＫｒをタッチすれば、異常表示部５ａに表示された異常に対する異常除去処理は既に終了しているため、異常表示部５ａの表示は消える（ステップＳ６，Ｓ７）。さらに、異常表示部５ｂ，５ｃに表示された異常に対しても対応する所定の異常除去処理を行う（ステップＳ８，Ｓ５〜Ｓ７）。そして、最後の異常表示部５ｃに表示された異常に対する異常除去処理が終了し、異常解除ボタンＫｒをタッチすれば、異常表示ウィンドウＷｅが閉じられ、射出成形機Ｍは、異常発生前の状態に復帰する（ステップＳ９）。
【００２５】
このように、本実施例に係る異常解除装置１は、コントローラ２０に備えるウィンドウ表示機能により、異常表示欄Ｃｅ及びこの異常表示欄Ｃｅに隣接した異常解除ボタンＫｒを有する異常表示ウィンドウＷｅを、ディスプレイ２に表示するようにしたため、異常表示欄Ｃｅ（異常表示部５ａ…）と異常解除ボタンＫｒの一体性が確保され、本来、異常内容を確認しながら異常解除ボタンＫｒを操作するという一連の異常解除作業をスムースに行うことができ、利便性の向上を図ることができる。また、側面パネル１３から異常解除ボタンＫｒを排することができるため、操作部位のシンプル化により全体の操作性向上を図ることができる。しかも、軽異常の内容は、軽異常表示機能によって、ディスプレイ２における所定の表示部６に表示されるため、オペレータは、重異常であるか軽異常であるかを容易かつ速やかに認識（識別）できる。
【００２６】
以上、実施例について詳細に説明したが、本発明はこのような実施例に限定されるものではなく、細部の構成，配置，数量，手法等において、本発明の要旨を逸脱しない範囲で任意に変更，追加，削除することができる。例えば、異常表示ウィンドウＷｅには、異常表示欄Ｃｅ及び異常解除ボタンＫｒを表示した場合を示したが、異常解除方法の説明を一緒に表示するなど、他の情報等を表示する場合を排除するものではない。
【００２７】
【発明の効果】
このように、本発明に係る射出成形機の異常解除装置は、異常の発生時に、少なくとも異常内容を表示した異常表示欄及びこの異常表示欄に隣接した異常解除ボタンを有する異常表示ウィンドウを、ディスプレイに表示するウィンドウ表示機能を設けたため、次のような顕著な効果を奏する。
【００２８】
（１）  異常表示欄と異常解除ボタンの一体性が確保されるため、本来、異常内容を確認しながら異常解除ボタンを操作するという一連の異常解除作業をスムースに行うことができ、利便性を向上させることができる。
【００２９】
（２）  側面パネルから異常解除ボタンを排することができるため、操作部位のシンプル化により全体の操作性向上を図ることができる。
【００３０】
（３）  好適な実施の形態により、軽異常の内容を、ディスプレイにおける所定の表示部に表示する軽異常表示機能を設ければ、オペレータは、重異常であるか軽異常であるかを容易かつ速やかに認識（識別）できる。
【図面の簡単な説明】
【図１】本発明の好適な実施例に係る異常解除装置における異常表示ウィンドウが表示された画面図、
【図２】同異常解除装置を備える射出成形機の概要図、
【図３】同射出成形機に備えるコントローラの機能ブロック図、
【図４】同異常解除装置の機能を含む異常発生時の処理方法を説明するためのフローチャート、
【符号の説明】
１    異常解除装置
２    ディスプレイ
３    タッチパネル
６    表示部
Ｍ    射出成形機
Ｋｒ  異常解除ボタン
Ｃｅ  異常表示欄
Ｗｅ  異常表示ウィンドウ
【図１】
2004155085.tif 000003
【図２】
2004155085.tif 000004
【図３】
2004155085.tif 000005
【図４】
2004155085.tif 000006